(57)【要約】【課題】自然薯等を大量生産でき、作業者の作業負担を軽減することができる自然薯等の栽培技術を提供する。【解決手段】自然薯等の栽培装置１０は、自然薯等を栽培するために内部に空洞を有する複数の栽培容器１と、複数の栽培容器１を配置して収容するためのホルダ２と、を備え、圃場に埋設するものである。栽培容器１は、円筒形状であり、ホルダ２内に傾斜させた状態で一直線上に複数配置されて収容されており、長手方向Ａにおいて、栽培容器１が上下方向で重なるように配置されている。ホルダ２は、垂直断面形状がＵ字状または凹字状であり、目の粗い金網で形成された箱状である。ホルダ２の上部には、このホルダ２を吊り下げるまたは引き上げるための係止具であるフック部６が複数設けられている。複数の栽培容器１を一度に埋設したり取り出したりすることができ、作業効率を高めて自然薯等を大量生産することができる。【選択図】図１
2007116948.tif 000002
【特許請求の範囲】
【請求項１】
圃場に埋設して自然薯等を生育させる自然薯等の栽培装置であって、自然薯等を栽培するために内部に空洞を有する複数の栽培容器と、前記複数の栽培容器を配置して収容するためのホルダと、を備えていることを特徴とする自然薯等の栽培装置。
【請求項２】
前記複数の栽培容器は、円筒形状であり、前記ホルダ内に傾斜状態で一直線上に配置されて収容されている請求項１記載の自然薯等の栽培装置。
【請求項３】
前記ホルダは、垂直断面形状がＵ字状または凹字状であり、金網で形成された箱状である請求項１または２記載の自然薯等の栽培装置。
【請求項４】
前記ホルダには、該ホルダを吊り下げるまたは引き上げるための係止具が設けられている請求項１から３のいずれかの項に記載の自然薯等の栽培装置。
【請求項５】
前記ホルダの形状は、直方体状または斜方体状である請求項１から４のいずれかの項に記載の自然薯等の栽培装置。
【請求項６】
自然薯等を栽培するために内部に空洞を有する複数の栽培容器に培養土を充填する充填工程と、前記複数の栽培容器をホルダに配置して栽培装置とする配置工程と、前記培養土に種芋またはムカゴを播く播種工程と、前記栽培装置を埋設するために圃場に土を掘ってなる穴部を形成する掘削工程と、前記栽培装置を前記穴部に埋設する埋設工程と、自然薯等が所定の大きさに達したときに圃場から自然薯等とともに前記栽培装置を取り出す取り出し工程と、を有することを特徴とする自然薯等の栽培方法。
【発明の詳細な説明】
【技術分野】
【０００１】
本発明は、自然薯等の栽培技術に関し、より詳しくは、植え付けや収穫等の作業効率を高める栽培装置および栽培方法に関する。
【背景技術】
【０００２】
従来、種々の自然薯や山芋等（以下、自然薯等と称す）の栽培技術が提案されている。自然薯等は土中ではもともと真っ直ぐに伸びる特性があるものの、土壌が硬かったり石があったりすると土中で真っ直ぐに伸びず、品質や商品価値を下がる特性が劣ることがある。品質を高く維持しながらも作業効率を高めるために、自然薯等を傾斜させて真っ直ぐ伸ばす栽培方法が主流になっている。
【０００３】
前記栽培方法としては例えば、切り欠きが形成され直径が５〜６ｃｍ、長さが１．３ｍ程度の塩化ビニール製のパイプに栽培用の土を入れ、予め所定深さおよび所定長さに掘った溝にパイプを多数並べて傾斜させて埋設し、このパイプの地表部に種芋を植え付ける方法が知られている。この栽培方法においては、収穫時にはパイプを埋設した深さまで栽培地を再び掘り起こし、このパイプの一本ずつを引き抜いている。このような栽培方法は、種芋の植え付けや収穫作業の作業者への負担が大きく、これらの作業負担を軽減する栽培容器や栽培方法が開発されている（例えば、特許文献１，２参照。）。
【０００４】
特許文献１には、底板部を波形又はすじ状の仕切り線状に形成すると共に、底板部に傾斜を付け、しかも積み重ね可能な複数の自然薯及び山芋類の栽培容器及びそれを収納する外箱を用意し、自然薯及び山芋類を栽培する栽培容器が記載されている。
【０００５】
特許文献２には、地中部に所定幅と所定深さからなる取付溝を形成し、この取付溝内へ内部が中空状に形成された円筒体を多数並べて埋設し、これら円筒体内へ、用土を充填した栽培袋を該円筒体の略全長に対してそれぞれ挿入し、これら栽培袋内の用土へ種芋を撒いた後、所定の成育に達したとき、前記覆土を取り除いて円筒体内から栽培袋ごと自然薯を取り出して収穫する自然薯の栽培方法が記載されている。
【０００６】
【特許文献１】特開２００３−１６４２２３号公報
【特許文献２】特開平１１−７５５３３号公報
【発明の開示】
【発明が解決しようとする課題】
【０００７】
特許文献１に記載の栽培容器は、一度に複数本栽培できるものであるが、家庭菜園を目的としており圃場に埋設するものではないため、灌水等の栽培管理が煩雑になったり、使用する土の量が少なく外気温の影響を受けやすくなって自然薯等の品質が不安定になったりする等の問題がある。従って、品質の安定した自然薯等の大量生産には不向きである。また、この栽培容器を圃場に埋設しても、積み重ねた下方の山芋が埋まってしまい、圃場での栽培を行うことができない。
特許文献２に記載の栽培方法は、植え付け時には一本一本土中に埋める必要があり、収穫時には一本一本土中から取り出す必要があるため、作業者の手作業によるところが大きく、作業効率が悪いため大量生産には不向きである。
【０００８】
以上のように、自然薯等の栽培技術において、自然薯等の品質を安定させながらも大量生産できる技術は未だ確立されてはおらず、手作業によるところが大きい。また、手作業が多いと作業者の負担が大きく、中腰姿勢になったり屈む姿勢を取ったりして、作業負担が依然として解決されない問題が残っている。
【０００９】
本発明が解決しようとする課題は、品質の安定した自然薯等を、作業効率を高めて大量生産することができる自然薯等の栽培技術を提供することにある。
【課題を解決するための手段】
【００１０】
本発明の自然薯等の栽培装置は、圃場に埋設して自然薯等を生育させる自然薯等の栽培装置であって、自然薯等を栽培するために内部に空洞を有する複数の栽培容器と、前記複数の栽培容器を配置して収容するためのホルダと、を備えていることを特徴とする。
ホルダに複数の栽培容器を配置して収容したことにより、複数の栽培容器は、ホルダ内で一体となった状態となるため、このホルダを圃場に埋設すれば、一度の埋設作業で複数の栽培容器を埋設することができ、作業効率を高めて自然薯等を大量生産することができる。また、自然薯等の収穫時には、自然薯等が入ったままのホルダを取り出せば、圃場からの一度の取り出し作業で複数の栽培容器を取り出すことができ、取り出し作業の効率化をはかることができる。さらに、自然薯等一本一本がほぼ同一条件で栽培されるため、品質が安定したものなる。
【００１１】
ここで、複数の栽培容器を、円筒形状とし、ホルダ内に傾斜状態で一直線上に配置して収容すれば、各栽培容器が上下方向に見て重なるように配置することとなり、上下方向の空間を有効利用することができ、面積当たりの自然薯等の本数を高めて栽培スペースを有効に利用することができる。また、栽培容器を円筒形状としたことにより、自然薯等を真っ直ぐに伸ばして栽培することが可能となり、高品質を維持した上で栽培効率を高めることが可能となる。
【００１２】
また、ホルダは、垂直断面形状がＵ字状または凹字状であり、金網で形成された箱状であることが望ましい。このような構成とすれば、金網を折り曲げてホルダを容易に製造することができるとともに、頑丈且つ軽量なホルダとすることができる。
【００１３】
さらにホルダには、このホルダを吊り下げるまたは引き上げるための係止具を設けることが望ましい。この係止具により、重機等で係止し吊り下げてホルダを移動させることが可能となるため、複数の栽培容器を有するホルダを圃場へ迅速に持ち込んで埋設することができる。また、圃場から取り出す場合においても、重機等で係止具を引き上げてホルダを取り出すことができ、吊り下げながら所定の場所に移動させることもできる。また、以上のように重機等を使用すれば、圃場への埋設作業と圃場からの取り出し作業のいずれにおいても、作業者は中腰になることがないため、作業者の作業負担を軽減することができる。
【００１４】
ここで、ホルダの形状を、直方体状または斜方体状としている。ホルダの形状を直方体状とすれば、これを埋設するために、圃場に穴を掘りやすくなる。また、ホルダの形状を斜方体状とすれば、複数のホルダを一直線上に配置しても埋設後の自然薯等の並びを等間隔とすることができ、栽培効率を高めることができる。なお、直方体状とは、正面図および平面図が矩形（長方形）、側面図が長方形（ただし、下部がＵ字状のものを含む）である形状を意味し、斜方体状とは、正面図が平行四辺形であり、平面図が長方形であり、側面図が長方形（ただし、下部がＵ字状のものを含む）である形状を意味する。
【００１５】
また、本発明の自然薯等の栽培方法は、自然薯等を栽培するために内部に空洞を有する複数の栽培容器に培養土を充填する充填工程と、複数の栽培容器をホルダに配置して栽培装置とする配置工程と、培養土に種芋またはムカゴを播く播種工程と、栽培装置を埋設するために圃場に土を掘ってなる穴部を形成する掘削工程と、栽培装置を穴部に埋設する埋設工程と、自然薯等が所定の大きさに達したときに圃場から自然薯等とともに栽培装置を取り出す取り出し工程と、を有することを特徴とする。
【００１６】
上記のような構成とすれば、重機やクレーン等を使用して、一度の埋設作業で複数の栽培容器を埋設することができ、また、圃場からの一度の取り出し作業で複数の栽培容器を取り出すことができるため、作業効率を高めることができ、自然薯等を大量生産することができる。圃場への埋設作業と圃場からの取り出し作業のいずれにおいても、作業者は中腰になることがないため、作業者の労働負担を軽減することができる。
【発明の効果】
【００１７】
本発明の最大の特徴は、自然薯等を栽培するために内部に空洞を有する複数の栽培容器を、ホルダに配置して収容したことにある。一度の埋設作業で複数の栽培容器を埋設することができ、また、圃場からの一度の取り出し作業で複数の栽培容器を取り出すことができるため、作業効率を高めることができ、自然薯等を大量生産することができる。
【発明を実施するための最良の形態】
【００１８】
以下、図面に基づいて本発明の実施の形態について説明する。図１は本発明の第１の実施形態である自然薯等の栽培装置を示す正面図であり、図２は同栽培装置の拡大側面図である。図３は同栽培装置の栽培容器の下端部付近を示す拡大正面図である。
【００１９】
図１に示すように、本発明の第１の実施形態である自然薯等の栽培装置（以下、栽培装置と称す）１０は、自然薯等を栽培するために内部に空洞を有する複数の栽培容器１と、複数の栽培容器１を配置して収容するためのホルダ２と、を備え、圃場に埋設して自然薯等を生育させるものである。栽培容器１は、円筒形状であり、ホルダ２内に傾斜させた状態でほぼ一直線上に複数配置されて収容されており、長手方向Ａにおいて、栽培容器１が上下方向で重なるように配置されている。栽培容器１には、この円筒状の軸線方向に切り欠き１ｃが形成されており、この切り欠き１ｃを上向きにして配置されている。栽培容器１の上端部１ａは、上方が開放され且つ幅が広くなった形状に形成されており、この上端部１ａに後述する種芋またはムカゴ等を植え付けて自然薯等を栽培するものである。
【００２０】
また、ホルダ２は、垂直断面形状がＵ字状または凹字状であり、目の粗い金網で形成された箱状である。そしてこのホルダ２は、直方体状であり正面視矩形状である。ホルダ２の底部には、栽培容器１の下端部１ｂを当接させて位置決めするためのストッパ３が複数設けられており、一つの栽培容器１に対し、一個のストッパ３が対応している。さらに、ホルダ２の側面には、複数の栽培容器１を傾斜状態に保つための受け梁４ａ，４ｂが一定間隔毎に、複数設けられている。受け梁４ａは栽培容器１の上部付近を支持しており、受け梁４ｂは栽培容器１の中部付近を支持している。なお、受け梁４ａは、栽培容器１の横滑りを防止する目的で、中央部が凹型またはＶ型の形状としてある。
【００２１】
以上のように、一つの栽培容器１に対し、ストッパ３と受け梁４ａ，４ｂとにより３箇所支持されて、傾斜角（仰角）を約１５度に設定して傾斜させて配置している。ここで、さらに多くの箇所にストッパや受け梁を設けてさらに安定化をはかることもでき、傾斜角度も適宜設計変更しても良い。また、傾斜角度とは、水平方向から立ち上がった角度を意味する。
なお、本実施形態においては、栽培容器１の上部はホルダ２の側面より突出して配置されているが、これに限定されるものではなく、栽培容器１が安定してホルダ２に配置されて収容できれば他の形態とすることもできる。
【００２２】
ホルダ２の寸法について説明する。ホルダ２の長手方向Ａの長さは約３．９ｍであり、高さは約２７．５ｃｍ、厚み方向Ｃ（図５参照）の厚みが約１６ｃｍである。ホルダ２の内部には、約３０ｃｍ間隔で栽培容器１０が配置されている。後述するフック部６は任意の位置に設けることができるが、本実施形態においては、ホルダ２の中心位置と、そこから両側に約１．２ｍ離間した位置とに、合計３箇所に設けてある。なお、ホルダ２の大きさは適宜設計変更でき、ホルダ２やフック部６等は、収穫時の取り出しに耐え得る強度を備えている。ホルダ２の金網の目は１０〜３０ｃｍとしているが、これに限定されるものではなく、圃場に埋設するために栽培容器１とホルダ２との間に容易に土壌を流し込める程度あれば良く、適宜設計変更できる。
【００２３】
さらに、ホルダ２の上部には、このホルダ２を吊り下げるまたは引き上げるための係止具であるフック部６が複数設けられている。そして、フック部６には吊り輪７が係止されており、この吊り輪７がワイヤ８により吊り下げビーム９の上端部に設けられた係止部材９ａに吊り下げ可能に支持されている。吊り下げビーム９の係止部材９ａにはワイヤ１１が係止されており、このワイヤ１１が、重機やクレーンにより吊り上げ可能となっている。すなわち、ワイヤ１１を重機やクレーンにより引き上げれば、ホルダ２に配置し収容された複数の栽培容器１を一度に持ち上げて、移動することができる。なお、吊り輪７は、フック部６から外すことができ、吊り輪７とワイヤ８，１１と吊り下げビーム９は各栽培装置１０を埋設する毎に使いまわすことができる。
【００２４】
従って、栽培装置１０により、一度の埋設作業で複数の栽培容器１を埋設することができ、また、自然薯等の収穫時においては、圃場からの一度の取り出し作業で複数の栽培容器１を取り出すことができるため、作業効率を高めることができ、自然薯等を大量生産することができる。
【００２５】
次に、図４を用いて本発明の第２の実施形態について説明する。図４は本発明の第２の実施形態である自然薯等の栽培装置（以下、栽培装置）２０を示す一部を省略した正面図である。ここで、図４において、ホルダ２２以外は第１の実施形態の栽培装置と同一であり、同一の符号を付してあるため、説明を省略する。
【００２６】
ホルダ２２は、正面視が並行四辺形の形状である斜方体状であり、ホルダ２２内に複数の栽培容器１を傾斜状態でほぼ一直線上に配置したとき、ホルダ２２の長手方向Ａにある側面は水平方向に対して傾斜状態にあり、複数の栽培容器１とほぼ同等である仰角約１５度としてある。
上記の構成とすれば、ホルダ２２は、圃場に埋設する際に、長手方向に隣接するホルダの端部を重ねるように配置すれば、後述するように、圃場において栽培容器１が途切れることなく、ほぼ一直線上に埋めることができ、圃場中のスペースをさらに有効利用することができる（図６参照）。
【００２７】
次に、本発明の自然薯等の栽培方法について、工程ごとに説明する。
（１）充填工程
自然薯等を栽培するために内部に空洞を有する複数の栽培容器１に、上端部１ａから培養土を充填する。充填に際しては、自動充填装置を用いて均一な密度となるように充填し、自然薯等の生育の安定化をはかる。なお、培養土を栽培容器１に充填すると、培養土の圧力により切り欠き１ｃが広がって、栽培容器１は少し膨らんで断面Ｕ字の形状となる。このとき、外形を拘束するように複数本林立させて振動機により振動を与えながら充填する。使用する培養土としては、赤土、マサ土、パーライト、モミガラ等をコンクリートミキサーに投入し混合したものを使用するが、状況に応じて適宜変更しても良い。
【００２８】
（２）配置工程
複数の栽培容器１をホルダ２に仰角を１５度の状態で傾斜させて配置して栽培装置１０，２０を形成する。なお、ストッパ３や受け梁４ａ，４ｂは予めホルダ２，２２に設けられているため、これらに栽培容器１をホルダ２，２２に支持させることで容易に配置して収容することができる。なお、本栽培方法においては、充填工程の次に配置工程としているが、逆にしても良く、培養土が均一に充填できれば配置工程の次に充填工程とすることもできる。
【００２９】
（３）播種工程
栽培容器１に充填した培養土に、種芋またはムカゴを播いて、覆土をする。種芋を使用すると生育期間は短く済むが、品質を考慮すれば、ムカゴや種子を発芽させて生育させた苗を培養土に播く方が望ましい。なお、播種工程は、充填工程と配置工程の間に設けても良く、配置工程と充填工程の後に設けても良い。
【００３０】
（４）掘削工程
栽培装置１０，２０を埋設するために圃場に土を掘って穴部を形成する。この穴部は、長手方向Ａ（図１，図４参照）に沿って掘るため、細長い溝状の穴部となる。
【００３１】
（５）埋設工程
栽培装置１０，２０を穴部に埋設する。穴部と栽培装置１０，２０との間に隙間が生じる場合には、土壌を隙間に充填し、さらに上方から覆土を行う。なお、この工程は、ワイヤ１１を重機やクレーンで持ち上げて行う。埋設後は、吊り輪７をフック部６から外し、図２に示す栽培装置１０，２０の状態で圃場に埋設する。
ここで、栽培装置１０，２０のホルダ２，２２の並べ方について、図５および図６を用いて説明する。図５はホルダ２の並びを示す概略図であり、（ａ）はホルダ２を二つ配置した場合の平面図、（ｂ）はさらに複数のホルダ２を配置した概要を示す平面図、（ｃ）は（ｂ）において自然薯等を栽培した概要を示す拡大側面図である。図６はホルダ２２の並びを示す概略図であり、（ａ）はホルダ２２を二つ配置した場合の平面図、（ｂ）は（ａ）において自然薯等を栽培した概要を示す拡大側面図である。
【００３２】
第１の実施形態である正面視矩形状（直方体状）のホルダ２を圃場に埋設する場合、図５（ａ）に示すように、自然薯等二つ分のピッチに相当する平面視長さＢ（約６０ｃｍ）を、栽培容器１の厚みＣ方向に重ねて配置する。これを順次繰り返して配置すれば、ホルダ２の長さ方向Ａでみると、栽培容器１に植え付けられた種芋等をほぼ等間隔で植え付けることができ、圃場スペースを有効利用することが可能となる。
また、図５（ｂ）に示すようにホルダ２を交互に配置し二列とすることもできる。この場合、図５（ｃ）に示すように、一列でみるとホルダ２の境界では、自然薯等１２の間隔Ｄは約９０ｃｍとなり、ホルダ２内での自然薯等１２の間隔Ｅの約３０ｃｍよりも大きくなるが、マルチ管理等の作業性を考慮すると、ホルダ２を二列とすることが望ましい。なお、以上のようなホルダ２の並びは、これらに限定されるものではなく、適宜配置を変更しても良い。
【００３３】
一方、第２の実施形態である正面視並行四辺形の形状のホルダ２２を圃場に埋設する場合、図６（ａ）に示すように、長手方向Ａにほぼ一直線上に並べて配置する、すなわち図６（ｂ）に示すように、長手方向に隣接するホルダ２２の端部を上下方向に重ねるように配置する。これにより、圃場において栽培容器１を一列にほぼ一直線上に埋めて種芋等をほぼ等間隔で植え付けることができ、ホルダ２２内の自然薯等１２の間隔Ｄ’と、ホルダ２２での境界にある自然薯等１２の間隔Ｅは、概ね等間隔とすることができ、約３０ｃｍである。このように、列中において大きな隙間をなくすことができ、圃場中のスペースをさらに有効利用することができる。
また、ホルダ２２には、上下左右にずれることを防止するための係止具１３が設けられており、係止具１３によりホルダ２２どうしを係止させて、圃場中において一直線上に並べて配置する。これにより、埋設後のホルダ２２のずれを防止でき、自然薯等１２の栽培期間中において自然薯等１２がほぼ一直線上に植え付けられているため見た目にも良い。なお、係止具１３は板を使用しているが、係止できるものではあればワイヤ等でも良い。
【００３４】
次に、栽培装置１０，２０の埋設後の概要について図７を用いて説明する。図７は栽培装置１０，２０を埋設し自然薯等１２を栽培している概要を示す図であり、（ａ）は第１実施形態の栽培装置１０を二列に並列配置したことを示す断面図、（ｂ）は第２実施形態の栽培装置２０を一列に配置したことを示す断面図である。
【００３５】
図７（ａ）に示すように、栽培装置１０を圃場Ｓに栽培容器１の上端部１ａの一部が地面Ｇよりも高くなるように埋設し、土または培養土を被せて栽培装置１０全体が埋まるように畝３１を形成する。気温や地温に応じて、マルチ３２を畝３１に被覆する。ここで、自然薯等１２が生長しても生育が阻害されないように、自然薯等１２間は、他の被覆資材３３で被覆する。このように、地温を下げずに栽培することにより、自然薯等１２の生育を促す。以上のように、埋設する栽培装置１０毎に畝３１をつくり自然薯等１２を栽培する。また、畝３１間（株間）は溝状となるが、ここにもマルチ３２を被覆しても良く、さらにマルチ３２の繋ぎ目どうしをファスナー等で止めれば、地温や土壌水分をさらに好適に維持できる。
【００３６】
また、図７（ｂ）に示すように、栽培装置２０を圃場Ｓに栽培容器１の上端部１ａの一部が地面Ｇよりも高くなるように埋設し、土または培養土を被せて畝３１を形成する。気温や地温に応じて、マルチ３２を畝３１に被覆する。このようにマルチ３２で被覆すれば、前述と同様に、自然薯等１２の生育を促すことができる。また、前述と同様に、畝３１間（株間）は溝状となるが、ここにもマルチ３２を被覆しても良く、さらにマルチ３２の繋ぎ目どうしをファスナー等で止めれば、地温や土壌水分を好適に維持できる。
なお、マルチ３２は、土壌温度を好適に調整するために、白色ビニルマルチを使用することが望ましい。
【００３７】
（６）取り出し工程
自然薯等が所定の大きさに達したときに、畝３１の表面を払いのけて、吊り輪７をフック部６に引っ掛け係止して、ワイヤ１１を重機やクレーンで持ち上げて圃場から自然薯等とともに栽培装置１０，２０を取り出す。このとき、栽培容器１，２１とホルダ２，２２との間にある土壌は、ホルダ２，２２の網目から容易に落とすことができる。そしてこの栽培装置を所定の場所へそのまま移動する。
【００３８】
（７）培養土除去工程
所定の位置へ移動した栽培装置１０，２０から栽培容器１を取り出す。そして、上端部１ａが引っ掛かるセットダイと振動モータを有する振動機に、栽培容器１の上端部１ａをセットダイに固定して、栽培容器１内の培養土を振動モータから発生する振動により培養土を下方に落として除去する。
【００３９】
（８）自然薯等の取り出し工程
培養土を除去後、栽培容器１の切り欠き１ｃを幅方向に開き、自然薯等を取り出す。なお、この工程は自動化することが可能である。
【００４０】
以上のことから、本発明においては、ホルダ１０，２０に複数の栽培容器１，２１を配置して収容したことにより、複数の栽培容器１，２１は、ホルダ１０，２０内で一体となった状態となるため、このホルダ１０，２０を圃場に埋設すれば、一度の埋設作業で複数の栽培容器１，２１を埋設することができ、作業効率を高めて自然薯等を大量生産することができる。また、自然薯等の収穫時には、自然薯等が入ったままのホルダ１０，２０を取り出すこととなり、圃場からの一度の取り出し作業で複数の栽培容器１，２１を取り出すことができ、取り出し作業の効率化をはかることができる。さらに、作業中に作業者は中腰になることがないため、作業者の労働負担を軽減することができる。
【産業上の利用可能性】
【００４１】
本発明は、自然薯等の根部が真っ直ぐ伸びるような作物を大量生産する技術として広く利用することができる。
【図面の簡単な説明】
【００４２】
【図１】本発明の第１の実施形態である自然薯等の栽培装置を示す正面図である。
【図２】同栽培装置の拡大側面図である。
【図３】同栽培装置の栽培容器の下端部付近を示す拡大正面図である。
【図４】本発明の第２の実施形態である自然薯等の栽培装置を示す一部を省略した正面図である。
【図５】ホルダの並びを示す概略図であり、（ａ）はホルダを二つ配置した場合の平面図、（ｂ）はさらに複数のホルダを配置した概要を示す平面図、（ｃ）は（ｂ）において自然薯等を栽培した概要を示す拡大側面図である。
【図６】ホルダの並びを示す概略図であり、（ａ）はホルダを二つ配置した場合の平面図、（ｂ）は（ａ）において自然薯等を栽培した概要を示す拡大側面図である。
【図７】栽培装置を埋設し自然薯等を栽培している概要を示す図であり、（ａ）は第１実施形態の栽培装置を二列に並列配置したことを示す断面図、（ｂ）は第２実施形態の栽培装置を一列に配置したことを示す断面図である。
【符号の説明】
【００４３】
１０，２０  自然薯等の栽培装置
１  栽培容器
１ａ  上端部
１ｂ  下端部
１ｃ  切り欠き
２，２２  ホルダ
３  ストッパ
４ａ，４ｂ  受け梁
６  フック部
７  吊り輪
８，１１  ワイヤ
９  吊り下げビーム
９ａ  係止部材  １２  自然薯等
３１  畝
３２  マルチ
３３  被覆資材
Ａ  幅方向
Ｂ  長さ
Ｃ  厚み方向
Ｄ，Ｄ’  間隔
Ｅ  間隔
Ｇ  地面
Ｓ  圃場
【図１】
2007116948.tif 000003
【図２】
2007116948.tif 000004
【図３】
2007116948.tif 000005
【図４】
2007116948.tif 000006
【図５】
2007116948.tif 000007
【図６】
2007116948.tif 000008
【図７】
2007116948.tif 000009